(57)【要約】本発明は、節電機能が移動通信装置に有利でないときを判断して節電機能の使用を制限又は抑制する方法及び装置を提供する。外部エンティティ又は前記移動通信装置内に保存された情報から受信された情報は、節電機能が有利であるか否かを判断するために活用される。前記移動通信装置及び／又は前記移動通信装置と通信するネットワークは、不要な節電機能を行わないために自らの方式を変える。この通信方法では、前記節電機能が前記移動通信端末に有利であるか否かの指示を前記ネットワークに提供する段階をさらに含んでもよい。
2008518548.tif 000002
【特許請求の範囲】
【請求項１】
節電機能が移動通信端末に有利であるか否かを判断する段階と、
前記判断によって、前記節電機能を行うか、又は行わない段階と
を含むことを特徴とするネットワークと移動通信端末間の通信方法。
【請求項２】
前記節電機能は、
有利であると判断される場合は行われ、有利でないと判断される場合は行われないことを特徴とする請求項１に記載のネットワークと移動通信端末間の通信方法。
【請求項３】
前記節電機能が前記移動通信端末に有利であるか否かの指示を前記ネットワークに提供する段階をさらに含むことを特徴とする請求項１に記載のネットワークと移動通信端末間の通信方法。
【請求項４】
前記指示は、前記移動通信端末の装置タイプ及びシリアルナンバーの少なくとも１つを含むことを特徴とする請求項３に記載のネットワークと移動通信端末間の通信方法。
【請求項５】
前記ネットワークは、無線ネットワーク制御装置（ＲＮＣ）を含むことを特徴とする請求項３に記載のネットワークと移動通信端末間の通信方法。
【請求項６】
前記指示は、無線リソース制御（ＲＲＣ）メッセージにより提供されることを特徴とする請求項３に記載のネットワークと移動通信端末間の通信方法。
【請求項７】
前記ＲＲＣメッセージは、ＲＲＣ接続設定完了メッセージ（ＲＲＣ  ｃｏｎｎｅｃｔｉｏｎ  ｓｅｔｕｐ  ｃｏｍｐｌｅｔｅ  ｍｅｓｓａｇｅ）とＵＥケイパビリティ情報メッセージ（ＵＥ  ｃａｐａｂｉｌｉｔｙ  ｉｎｆｏｒｍａｔｉｏｎ  ｍｅｓｓａｇｅ）のうち１つであることを特徴とする請求項６に記載のネットワークと移動通信端末間の通信方法。
【請求項８】
前記指示は、前記ネットワークとの接続設定時に提供されることを特徴とする請求項３に記載のネットワークと移動通信端末間の通信方法。
【請求項９】
前記ネットワークとの接続中に、節電機能が現在前記移動通信端末に有利であるか否かを反映して前記ネットワークに提供される前記指示をアップデートする段階をさらに含むことを特徴とする請求項８に記載のネットワークと移動通信端末間の通信方法。
【請求項１０】
前記節電機能は、前記移動通信端末が外部電源と接続されているときは有利でなく、外部電源と接続されていないときは有利であると判断されることを特徴とする請求項１に記載のネットワークと移動通信端末間の通信方法。
【請求項１１】
前記判断段階は、外部エンティティから情報を受信する段階をさらに含むことを特徴とする請求項１に記載のネットワークと移動通信端末間の通信方法。
【請求項１２】
前記情報は、前記ネットワークから受信されることを特徴とする請求項１１に記載のネットワークと移動通信端末間の通信方法。
【請求項１３】
前記情報は、前記移動通信端末から受信されることを特徴とする請求項１１に記載のネットワークと移動通信端末間の通信方法。
【請求項１４】
前記判断段階は、外部エンティティからいずれの情報が受信されなくても行われることを特徴とする請求項１に記載のネットワークと移動通信端末間の通信方法。
【請求項１５】
前記判断は、前記移動通信端末が外部電力供給装置に接続されているか否か、前記移動通信端末の装置タイプ、及び前記移動通信端末が電力を供給する他の装置に接続されているか否かの１つに基づくことを特徴とする請求項１に記載のネットワークと移動通信端末間の通信方法。
【請求項１６】
ＩＭＥＩ（Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ）及びＩＭＥＩＳＶ（Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ  Ｓｏｆｔｗａｒｅ  Ｖｅｒｓｉｏｎ  ｎｕｍｂｅｒ）を前記ネットワークに提供する段階をさらに含むことを特徴とする請求項１に記載のネットワークと移動通信端末間の通信方法。
【請求項１７】
有利でないと判断された場合、節電機能実行命令を拒否する段階をさらに含むことを特徴とする請求項１に記載のネットワークと移動通信端末間の通信方法。
【請求項１８】
前記命令を拒否する原因値（ｃａｕｓｅ  ｖａｌｕｅ）を提供する段階をさらに含むことを特徴とする請求項１７に記載のネットワークと移動通信端末間の通信方法。
【請求項１９】
前記節電機能を行わない場合、
前記移動通信端末のバックライトを消さない段階と、
前記移動通信端末のバックライトが消えるまでの時間を増加させる段階と、
装置との接続を維持する段階と、
さらなる情報を受信する段階と、
サービスをアクティブにする段階と、
非タイム・クリティカル（ｔｉｍｅ  ｎｏｎ−ｃｒｉｔｉｃａｌ）データを保存する段階と、
プロセシング電力を増加させる段階との少なくとも１つを含むことを特徴とする請求項１に記載のネットワークと移動通信端末間の通信方法。
【請求項２０】
前記節電機能が前記移動通信端末に有利であるか否かの指示を受信する段階をさらに含むことを特徴とする請求項１に記載のネットワークと移動通信端末間の通信方法。
【請求項２１】
前記指示は、前記移動通信端末から受信されることを特徴とする請求項２０に記載のネットワークと移動通信端末間の通信方法。
【請求項２２】
前記指示は、前記移動通信端末の装置タイプ及びシリアルナンバーの少なくとも１つを含むことを特徴とする請求項２１に記載のネットワークと移動通信端末間の通信方法。
【請求項２３】
前記指示は、無線リソース制御（ＲＲＣ）メッセージにより受信されることを特徴とする請求項２１に記載のネットワークと移動通信端末間の通信方法。
【請求項２４】
前記ＲＲＣメッセージは、ＲＲＣ接続設定完了メッセージ及びＵＥケイパビリティ情報メッセージのうち１つであることを特徴とする請求項２３に記載のネットワークと移動通信端末間の通信方法。
【請求項２５】
前記指示は、前記移動通信端末との接続設定時に受信されることを特徴とする請求項２０に記載のネットワークと移動通信端末間の通信方法。
【請求項２６】
前記移動端末との接続中に、節電機能が現在前記移動通信端末に有利であるか否かを反映して前記指示をアップデートする段階をさらに含むことを特徴とする請求項２５に記載のネットワークと移動通信端末間の通信方法。
【請求項２７】
前記指示は、ネットワークエンティティから受信されることを特徴とする請求項２０に記載のネットワークと移動通信端末間の通信方法。
【請求項２８】
前記指示は、コアネットワークから受信されることを特徴とする請求項２７に記載のネットワークと移動通信端末間の通信方法。
【請求項２９】
前記指示は、前記ネットワークソースエンティティから前記移動通信端末の再配置を制御するとき、前記ネットワークソースエンティティから受信されることを特徴とする請求項２７に記載のネットワークと移動通信端末間の通信方法。
【請求項３０】
前記ネットワークソースエンティティは、無線ネットワーク制御装置であることを特徴とする請求項２９に記載のネットワークと移動通信端末間の通信方法。
【請求項３１】
前記節電機能が前記移動通信端末に有利であるか否かの指示を前記移動通信端末に伝送する段階をさらに含むことを特徴とする請求項１に記載のネットワークと移動通信端末間の通信方法。
【請求項３２】
前記移動通信端末からＩＭＥＩ及びＩＭＥＩＳＶを受信する段階をさらに含むことを特徴とする請求項１に記載のネットワークと移動通信端末間の通信方法。
【請求項３３】
前記判断は、ＩＭＥＩ及びＩＭＥＩＳＶに基づくことを特徴とする請求項３２に記載のネットワークと移動通信端末間の通信方法。
【請求項３４】
節電機能実行命令を拒否するための原因値を前記移動通信端末から受信する段階をさらに含むことを特徴とする請求項１に記載のネットワークと移動通信端末間の通信方法。
【請求項３５】
前記節電機能を行わない場合、
前記移動通信端末をＲＲＣ専用状態（ｄｅｄｉｃａｔｅｄ  ＲＲＣ  ｓｔａｔｅ）で長時間維持する段階と、
前記移動通信端末をＲＲＣ共有状態（ｓｈａｒｅｄ  ＲＲＣ  ｓｔａｔｅ）で長時間維持する段階と、
移動通信端末の非活性を検出するために使用されたタイマーを調節する段階と、
異なる移動通信端末トラヒック量測定値を設定する段階と、
移動通信端末トラヒック量測定値間の伝送遅延を減少させる段階との少なくとも１つを含むことを特徴とする請求項１に記載のネットワークと移動通信端末間の通信方法。
【請求項３６】
節電機能が移動通信端末に有利であるか否かを判断する段階と、
前記節電機能が前記移動通信端末に有利であるか否かの指示を前記ネットワークに提供する段階と
を含むことを特徴とするネットワークと移動通信端末間の通信方法。
【請求項３７】
前記指示は、前記移動通信端末の装置タイプ及びシリアルナンバーの少なくとも１つを含むことを特徴とする請求項３６に記載のネットワークと移動通信端末間の通信方法。
【請求項３８】
前記節電機能は、前記移動通信端末が外部電源と接続されているときに有利でないと判断され、前記移動通信端末が外部電源と接続されていないときに有利であると判断されることを特徴とする請求項３６に記載のネットワークと移動通信端末間の通信方法。
【請求項３９】
節電機能が移動通信端末に有利であるか否かの指示を前記移動通信端末から受信する段階と、
有利であると示された場合は節電機能を行い、有利でないと示された場合は節電機能を行わない段階とを含むことを特徴とするネットワークと移動通信端末間の通信方法。
【請求項４０】
前記指示は、前記移動通信端末の装置タイプ及びシリアルナンバーの少なくとも１つを含むことを特徴とする請求項３９に記載のネットワークと移動通信端末間の通信方法。
【請求項４１】
移動通信端末により行われる節電機能に関する情報から構成されるメッセージを含むＲＦ信号を受信するためのアンテナと、
前記アンテナにより受信される前記ＲＦ信号を処理するためのＲＦモジュールと、
ユーザからの情報を入力するためのキーパッドと、
前記節電機能に関する情報を保存するための保存手段と、
前記ユーザに情報を伝達するためのディスプレイと、
前記節電機能が前記移動通信端末に有利であるか否かを判断し、前記判断によって、前記節電機能を行うか、行わないかを判断するためのプロセシング部と
から構成されることを特徴とするネットワークと通信するための移動通信端末。
【請求項４２】
前記プロセシング部は、前記移動通信端末に有利であると判断される場合は節電機能を行い、有利でないと判断される場合は節電機能を行わないことを特徴とする請求項４１に記載のネットワークと通信するための移動通信端末。
【請求項４３】
前記プロセシング部は、節電機能が前記移動通信端末に有利であるか否かの指示を前記ネットワークに提供することを特徴とする請求項４１に記載のネットワークと通信するための移動通信端末。
【請求項４４】
前記指示は、前記移動通信端末の装置タイプ及びシリアルナンバーの少なくとも１つを含むことを特徴とする請求項４３に記載のネットワークと通信するための移動通信端末。
【請求項４５】
前記プロセシング部は、無線リソース制御（ＲＲＣ）メッセージにより前記指示を提供することを特徴とする請求項４３に記載のネットワークと通信するための移動通信端末。
【請求項４６】
前記プロセシング部は、前記ネットワークとの接続設定時に前記指示を提供することを特徴とする請求項４３に記載のネットワークと通信するための移動通信端末。
【請求項４７】
前記プロセシング部は、前記ネットワークとの接続中に、前記節電機能が現在移動通信端末に有利であるか否かを反映して前記ネットワークに提供される前記指示をアップデートすることを特徴とする請求項４６に記載のネットワークと通信するための移動通信端末。
【請求項４８】
前記プロセシング部は、前記移動通信端末が外部電源に接続されているときに有利でないと判断し、外部電源に接続されていないときに有利であると判断することを特徴とする請求項４１に記載のネットワークと通信するための移動通信端末。
【請求項４９】
前記プロセシング部は、節電機能が有利であるか否かを判断するとき、前記節電機能に関する受信情報を活用することを特徴とする請求項４１に記載のネットワークと通信するための移動通信端末。
【請求項５０】
前記節電機能に関する情報は、前記ネットワークから受信されることを特徴とする請求項４１に記載のネットワークと通信するための移動通信端末。
【請求項５１】
前記プロセシング部は、外部エンティティからいずれの情報が受信されなくても節電機能が有利であるか否かを判断することを特徴とする請求項４１に記載のネットワークと通信するための移動通信端末。
【請求項５２】
前記プロセシング部は、前記移動通信端末が外部電力供給装置に接続されるか否か、前記移動通信端末の装置タイプ、及び前記移動通信端末が電力を供給する他の装置に接続されるか否かのうちの１つに基づいて、前記移動通信端末が有利であるか否かを判断することを特徴とする請求項４１に記載のネットワークと通信するための移動通信端末。
【請求項５３】
前記プロセシング部は、前記ネットワークにＩＭＥＩ及びＩＭＥＩＳＶを提供することを特徴とする請求項４１に記載のネットワークと通信するための移動通信端末。
【請求項５４】
前記プロセシング部は、有利でないと判断された場合に節電機能を行うための命令を拒否することを特徴とする請求項４１に記載のネットワークと通信するための移動通信端末。
【請求項５５】
前記プロセシング部は、前記命令を拒否する原因値を提供することを特徴とする請求項５４に記載のネットワークと通信するための移動通信端末。
【請求項５６】
前記プロセシング部は、
前記移動通信端末のバックライトを消さない段階と、
前記移動通信端末のバックライトが消えるまでの時間を増加させる段階と、
装置との接続を維持する段階と、
さらなる情報を受信する段階と、
サービスをアクティブにする段階と、
非タイム・クリティカルデータを保存する段階と、
プロセシング電力を増加させる段階との少なくとも１つにより前記節電機能を行わないことを特徴とする請求項４１に記載のネットワークと通信するための移動通信端末。
【発明の詳細な説明】
【技術分野】
【０００１】
本発明は、節電機能がユーザ装置（Ｕｓｅｒ  Ｅｑｕｉｐｍｅｎｔ：ＵＥ）に有利であるか否かによって、移動通信端末のようなユーザ装置とネットワーク間の通信のために異なる方式（ｂｅｈａｖｉｏｒ）を適用する装置及び方法に関する。特に、本発明は、節電機能がユーザ装置に有利でないときを判断して前記節電機能の使用を制限又は抑制する方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した無線通信サービスの提供を目標とする。
【０００３】
ＵＭＴＳの標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成し、ＵＭＴＳの効果的で迅速な技術開発のために、３ＧＰＰでは、ネットワーク構成要素とこれらの動作の独立性を考慮して、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。
【０００４】
各ＴＳＧは、関連したエリア内で標準規格の開発、承認、及びその管理を担当するが、そのうち、無線アクセスネットワーク（Ｒａｄｉｏ  Ａｃｃｅｓｓ  Ｎｅｔｗｏｒｋ：  ＲＡＮ）グループ（ＴＳＧ  ＲＡＮ）は、ＵＭＴＳにおいてＷＣＤＭＡ接続技術をサポートするための新しい無線アクセスネットワークであるＵＴＲＡＮの機能、要求事項、及びインタフェースに関する規格を開発する。
【０００５】
図１は、ＵＥ、ＵＴＲＡＮ、及びコアネットワークから構成されるＵＭＴＳネットワークの概要図である。前記ＵＴＲＡＮは、複数の無線ネットワーク制御装置（ｒａｄｉｏ  ｎｅｔｗｏｒｋ  ｃｏｎｔｒｏｌｌｅｒ：ＲＮＣ）とＮｏｄｅ−Ｂから構成され、これらは、Ｉｕｂインタフェースで通信する。
【０００６】
各ＲＮＣは、複数のＮｏｄｅ−Ｂを制御する。各ＲＮＣは、Ｉｕインタフェースで前記コアネットワーク（ＣＮ）と接続され、特に、前記ＣＮのＭＳＣ（Ｍｏｂｉｌｅ−ｓｅｒｖｉｃｅｓ  Ｓｗｉｔｃｈｉｎｇ  Ｃｅｎｔｅｒ）及びＳＧＳＮ（Ｓｅｒｖｉｎｇ  ＧＰＲＳ  Ｓｕｐｐｏｒｔ  Ｎｏｄｅ）と接続される。ＲＮＣは、Ｉｕｒインタフェースで他のＲＮＣと接続される。前記ＲＮＣは、無線リソースの割当及び管理を担当し、前記コアネットワークへのアクセスポイントの役割を果たす。
【０００７】
前記Ｎｏｄｅ−Ｂは、アップリンク伝送で前記端末の物理層により伝送された情報を受信し、ダウンリンク伝送でデータを前記端末に伝送する。前記Ｎｏｄｅ−Ｂは、前記端末へのＵＴＲＡＮのアクセスポイントの役割を果たす。
【０００８】
前記ＳＧＳＮは、それぞれＧｆインタフェースでＥＩＲ（Ｅｑｕｉｐｍｅｎｔ  Ｉｄｅｎｔｉｔｙ  Ｒｅｇｉｓｔｅｒ）と、ＧＳインタフェースでＭＳＣと、ＧＮインタフェースでＧＧＳＮ（Ｇａｔｅｗａｙ  ＧＰＲＳ  Ｓｕｐｐｏｒｔ  Ｎｏｄｅ）と、ＧＲインタフェースでＨＳＳ（Ｈｏｍｅ  Ｓｕｂｓｃｒｉｂｅｒ  Ｓｅｒｖｉｃｅ）と接続される。前記ＥＩＲは、ネットワーク上で使用できる端末のリストを維持する。
【０００９】
前記ＭＳＣは、回線交換（ｃｉｒｃｕｉｔ  ｓｗｉｔｃｈ：ＣＳ）サービスの接続を制御する。前記ＭＳＣは、ＮＢインタフェースでＭＧＷ（Ｍｅｄｉａ  Ｇａｔｅｗａｙ）と、ＦインタフェースでＥＩＲと、ＤインタフェースでＨＳＳと接続される。前記ＭＧＷは、Ｃインタフェースで前記ＨＳＳと接続され、ＰＳＴＮ（Ｐｕｂｌｉｃ  Ｓｗｉｔｃｈｅｄ  Ｔｅｌｅｐｈｏｎｅ  Ｎｅｔｗｏｒｋ）と接続される。前記ＭＧＷは、前記ＰＳＴＮと前記接続されたＲＡＮとの間のコーデックの適用を容易にする。
【００１０】
前記ＧＧＳＮは、ＧＣインタフェースでＨＳＳと、ＧＩインタフェースでインターネットと接続される。前記ＧＧＳＮは、他の無線アクセスベアラ（ｒａｄｉｏ  ａｃｃｅｓｓ  ｂｅａｒｅｒ：ＲＡＢ）へのデータフローのルーティング、変更、及び分離を担当する。前記ＨＳＳは、ユーザの加入データを担当する。
【００１１】
前記ＵＴＲＡＮは、前記端末と前記コアネットワーク間の通信のためにＲＡＢを構成及び維持する。前記コアネットワークは、前記ＲＡＢからエンドツーエンドサービス品質（ＱｏＳ）要求事項を要求し、前記ＲＡＢは、前記コアネットワークにより設定された前記ＱｏＳ要求事項をサポートする。これにより、前記ＵＴＲＡＮは、前記ＲＡＢを構成及び維持することにより、エンドツーエンドＱｏＳ要求事項を満たす。
【００１２】
特定端末に提供されるサービスは、回線交換（ＣＳ）サービスとパケット交換（ｐａｃｋｅｔ  ｓｗｉｔｃｈｅｄ：ＰＳ）サービスに大別される。例えば、一般的な音声対話サービスは、回線交換サービスであり、インターネット接続によるウェブブラウジングサービスは、パケット交換（ＰＳ）サービスとして分類される。
【００１３】
回線交換サービスをサポートするために、前記ＲＮＣは、前記コアネットワークのＭＳＣ（ｍｏｂｉｌｅ  ｓｗｉｔｃｈｉｎｇ  ｃｅｎｔｅｒ）に接続され、前記ＭＳＣは、他のネットワークとの接続を管理するＧＭＳＣ（ｇａｔｅｗａｙ  ｍｏｂｉｌｅ  ｓｗｉｔｃｈｉｎｇ  ｃｅｎｔｅｒ）に接続される。パケット交換サービスをサポートするために、前記ＲＮＣは、前記コアネットワークのＳＧＳＮ（ｓｅｒｖｉｎｇ  ＧＰＲＳ（ｇｅｎｅｒａｌ  ｐａｃｋｅｔ  ｒａｄｉｏ  ｓｅｒｖｉｃｅ）  ｓｕｐｐｏｒｔ  ｎｏｄｅ）及びＧＧＳＮ（ｇａｔｅｗａｙ  ＧＰＲＳ  ｓｕｐｐｏｒｔ  ｎｏｄｅ）と接続される。前記ＳＧＳＮは、前記ＲＮＣとのパケット通信をサポートし、前記ＧＧＳＮは、インターネットのような他のパケット交換ネットワークとの接続を管理する。
【００１４】
図２は、前記３ＧＰＰ無線接続ネットワーク標準に準拠した端末とＵＴＲＡＮ間の無線インタフェースプロトコルの構造を示す。図２に示すように、前記無線インタフェースプロトコルは、物理層、データリンク層、及びネットワーク層から構成される垂直層と、ユーザデータを伝送するためのユーザプレーン（Ｕ−ｐｌａｎｅ）及び制御情報を伝送するための制御プレーン（Ｃ−ｐｌａｎｅ）から構成される水平プレーンとを備える。
【００１５】
前記ユーザプレーンは、音声やＩＰパケットのようなユーザとのトラヒック情報を取り扱う領域であり、前記制御プレーンは、ネットワークとのインタフェース、呼の維持、及び管理などに関する制御情報を取り扱う領域である。
【００１６】
図２のプロトコル層は、開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層Ｌ１、第２層Ｌ２、第３層Ｌ３に区分される。前記第１層Ｌ１、すなわち、物理層は、多様な無線伝送技術により上位層に情報伝送サービス（ｉｎｆｏｒｍａｔｉｏｎ  ｔｒａｎｓｆｅｒ  ｓｅｒｖｉｃｅ）を提供する。前記物理層は、トランスポートチャネルで上位層である媒体アクセス制御（Ｍｅｄｉｕｍ  Ａｃｃｅｓｓ  Ｃｏｎｔｒｏｌ：ＭＡＣ）層と接続される。
【００１７】
前記ＭＡＣ層と前記物理層は、トランスポートチャネルでデータを交換する。第２層Ｌ２は、ＭＡＣ層、無線リンク制御（ｒａｄｉｏ  ｌｉｎｋ  ｃｏｎｔｒｏｌ：ＲＬＣ）層、ブロードキャスト／マルチキャスト制御（ｂｒｏａｄｃａｓｔ／ｍｕｌｔｉｃａｓｔ  ｃｏｎｔｒｏｌ：ＢＭＣ）層、及びパケットデータコンバージェンスプロトコル（ｐａｃｋｅｔ  ｄａｔａ  ｃｏｎｖｅｒｇｅｎｃｅ  ｐｒｏｔｏｃｏｌ：ＰＤＣＰ）層を含む。
【００１８】
前記ＭＡＣ層は、論理チャネルとトランスポートチャネル間のマッピングを担当し、無線リソースの割り当て及び再割り当てのためにＭＡＣパラメータの割り当てサービスを提供する。前記ＭＡＣ層は、論理チャネルで上位層である無線リンク制御（ＲＬＣ）層に接続される。
【００１９】
伝送される情報の種類によって多様な論理チャネルが提供される。一般に、制御チャネルは、制御プレーンの情報を伝送するために使用され、トラヒックチャネルは、ユーザプレーンの情報を伝送するために使用される。
【００２０】
論理チャネルは、共有されるか否かによって、共通チャネルともなり、専用チャネルともなる。論理チャネルには、ＤＴＣＨ（Ｄｅｄｉｃａｔｅｄ  Ｔｒａｆｆｉｃ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＣＴＣＨ（Ｃｏｍｍｏｎ  Ｔｒａｆｆｉｃ  Ｃｈａｎｎｅｌ）、ＣＣＣＨ（Ｃｏｍｍｏｎ  Ｃｏｎｔｒｏｌ  Ｃｈａｎｎｅｌ）、ＢＣＣＨ（Ｂｒｏａｄｃａｓｔ  Ｃｏｎｔｒｏｌ  Ｃｈａｎｎｅｌ）、並びにＰＣＣＨ（Ｐａｇｉｎｇ  Ｃｏｎｔｒｏｌ  Ｃｈａｎｎｅｌ）もしくはＳＨＣＣＨ（Ｓｈａｒｅｄ  Ｃｈａｎｎｅｌ  Ｃｏｎｔｒｏｌ  Ｃｈａｎｎｅｌ）が含まれる。
【００２１】
前記ＢＣＣＨは、端末により活用される情報を含む情報を提供してシステムにアクセスする。ＵＴＲＡＮは、前記ＰＣＣＨを利用して端末にアクセスする。
【００２２】
マルチメディアブロードキャスト／マルチキャストサービス（ｍｕｌｔｉｍｅｄｉａ  ｂｒｏａｄｃａｓｔ／ｍｕｌｔｉｃａｓｔ  ｓｅｒｖｉｃｅ：ＭＢＭＳ）の目的のために、さらなるトラヒック及び制御チャネルが前記ＭＢＭＳ標準に導入される。ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）は、ＭＢＭＳ制御情報を伝送するために使用され、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）は、ＭＢＭＳサービスデータを伝送するために使用される。ＭＳＣＨ（ＭＢＭＳ  Ｓｃｈｅｄｕｌｉｎｇ  Ｃｈａｎｎｅｌ）は、スケジューリング情報を伝送するために使用される。他の論理チャネルは、図３のリストに示す。
【００２３】
前記ＭＡＣ層は、トランスポートチャネルにより物理層と接続され、管理されるトランスポートチャネルのタイプによってＭＡＣ−ｂサブレイヤ、ＭＡＣ−ｄサブレイヤ、ＭＡＣ−ｃ／ｓｈサブレイヤ、ＭＡＣ−ｈｓサブレイヤ、及びＭＡＣ−ｍサブレイヤに区分される。前記ＭＡＣ−ｂサブレイヤは、システム情報のブロードキャストを担当するトランスポートチャネルであるＢＣＨ（Ｂｒｏａｄｃａｓｔ  Ｃｈａｎｎｅｌ）を管理する。前記ＭＡＣ−ｃ／ｓｈサブレイヤは、複数の端末により共有されるＦＡＣＨ（Ｆｏｒｗａｒｄ  Ａｃｃｅｓｓ  Ｃｈａｎｎｅｌ）もしくはＤＳＣＨ（Ｄｏｗｎｌｉｎｋ  Ｓｈａｒｅｄ  Ｃｈａｎｎｅｌ）のような共通トランスポートチャネル、又はアップリンクでＲＡＣＨ（Ｒａｄｉｏ  Ａｃｃｅｓｓ  Ｃｈａｎｎｅｌ）を管理する。前記ＭＡＣ−ｍは、ＭＢＭＳデータを担当する。
【００２４】
図４は、ＵＥの観点から論理チャネルとトランスポートチャネル間の可能なマッピングを示し、図５は、ＵＴＲＡＮの観点から論理チャネルとトランスポートチャネル間の可能なマッピングを示す。
【００２５】
前記ＭＡＣ−ｄサブレイヤは、特定端末のための専用トランスポートチャネルであるＤＣＨ（Ｄｅｄｉｃａｔｅｄ  Ｃｈａｎｎｅｌ）を管理する。前記ＭＡＣ−ｄサブレイヤは、該当端末を管理するＳＲＮＣ（Ｓｅｒｖｉｎｇ  Ｒａｄｉｏ  Ｎｅｔｗｏｒｋ  Ｃｏｎｔｒｏｌｌｅｒ）に位置し、１つのＭＡＣ−ｄサブレイヤが各端末内に存在する。
【００２６】
ＲＬＣ層は、ＲＬＣ動作モードに応じて、信頼性のあるデータ伝送をサポートし、上位層から伝送された複数のＲＬＣサービスデータユニット（ｓｅｒｖｉｃｅ  ｄａｔａ  ｕｎｉｔ：ＳＤＵ）の分割及び連結機能を果たす。前記ＲＬＣ層は、上位層から前記ＲＬＣ  ＳＤＵを受信すると、処理容量に応じた適当な方式によってそれぞれのＲＬＣ  ＳＤＵのサイズを調節した後、ヘッダ情報を加えてデータユニットを生成する。前記データユニットは、プロトコルデータユニット（ｐｒｏｔｏｃｏｌ  ｄａｔａ  ｕｎｉｔ：ＰＤＵ）と呼ばれ、論理チャネルで前記ＭＡＣ層に伝送される。前記ＲＬＣ層は、前記ＲＬＣ  ＳＤＵ及び／又はＲＬＣ  ＰＤＵを保存するためのＲＬＣバッファを含む。
【００２７】
ＢＭＣ層は、前記コアネットワークから受信されたセルブロードキャスト（Ｃｅｌｌ  Ｂｒｏａｄｃａｓｔ：  ＣＢ）メッセージをスケジューリングし、前記ＣＢメッセージを特定セル又は複数のセルに位置する端末にブロードキャストする。
【００２８】
前記ＰＤＣＰ層は、前記ＲＬＣ層の上位に位置する。前記ＰＤＣＰ層は、ＩＰｖ４やＩＰｖ６のようなネットワークプロトコルで伝送されるデータを相対的に狭い帯域幅を有する無線インタフェース上で効率的に伝送するために使用される。このために、前記ＰＤＣＰ層は、有線ネットワークにおいて使用される不必要な制御情報を減らす機能を果たし、この機能をヘッダ圧縮と言う。
【００２９】
無線リソース制御（Ｒａｄｉｏ  Ｒｅｓｏｕｒｃｅ  Ｃｏｎｔｒｏｌ：ＲＲＣ）層は、第３層Ｌ３の最下部に位置し、制御プレーンにおいてのみ定義される。前記ＲＲＣ層は、無線ベアラ（Ｒａｄｉｏ  Ｂｅａｒｅｒ：  ＲＢ）の設定、再設定、及び解除に関連してトランスポートチャネル及び物理チャネルの制御を担当する。また、前記ＲＲＣは、ＲＡＮ及びロケーションサービスのようなさらなるサービス内でユーザ移動性を担当する。
【００３０】
前記ＲＢは、端末とＵＴＲＡＮ間のデータ伝送のために第２層Ｌ２により提供されるサービスである。一般に、無線ベアラの設定とは、特定データサービスの提供のために必要なプロトコル層とチャネルの特性を規定し、それぞれの具体的なパラメータ及び動作方法を設定する過程を意味する。
【００３１】
所定のＵＥのための無線ベアラとトランスポートチャネル間のマッピングが異なる可能性が常に成立するわけではない。前記ＵＥ及び前記ＵＴＲＡＮは、ＵＥの状態及び前記ＵＥ及び前記ＵＴＲＡＮが行っている過程によって可能なマッピングを推論する。異なる状態やモードについての説明は、次の通りである。
【００３２】
異なるトランスポートチャネルは、異なる物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの構成は、ＲＮＣとＵＥ間のＲＲＣ信号交換により行われる。
【００３３】
ＲＲＣモードは、端末のＲＲＣとＵＴＲＡＮのＲＲＣ間に論理接続が存在するか否かを示す。接続が存在すると、前記端末はＲＲＣ接続モードにあるという。接続が存在しないと、前記端末はアイドルモードにあるという。
【００３４】
ＲＲＣ接続モードにある端末に対してＲＲＣ接続が存在するため、ＵＴＲＡＮは、セルユニット内の特定端末が存在するか否か、例えば、ＲＲＣ接続モードの端末がどのセル又はセルの集合にあるか、及びどの物理チャネルをＵＥが観察しているかを判断できる。このように、端末を効果的に制御できる。
【００３５】
これに対して、ＵＴＲＡＮは、アイドルモードにある端末の有無を判断できない。アイドルモードにある端末の有無はコアネットワークによってのみ判断される。特に、前記コアネットワークは、ロケーションやルーティング領域のようにセルより大きい地域内にアイドルモードの端末が存在するか否かのみを検出できる。従って、アイドルモード端末の有無は、大きい地域内で判断される。音声やデータなどの無線通信サービスを受けるために、アイドルモードの端末は、ＲＲＣ接続モードに移行又は変更しなければならない。モードと状態間の可能な変化については、図６に示す。
【００３６】
ＲＲＣ接続モードにあるＵＥは、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態などの異なる状態となることができる。前記状態に応じて、ＵＥは異なる動作を行い、異なるチャネルを観察することができる。
【００３７】
例えば、ＣＥＬＬ＿ＤＣＨ状態の端末は、多様なチャネルのうち、ＤＣＨタイプのトランスポートチャネルを観察する。ＤＣＨタイプのトランスポートチャネルは、所定のＤＰＣＨ、ＤＰＤＳＣＨ、又は他の物理チャネルにマッピングできるＤＴＣＨ及びＤＣＣＨトランスポートチャネルを含む。
【００３８】
ＣＥＬＬ＿ＦＡＣＨ状態にあるＵＥは、特定Ｓ−ＣＣＰＣＨにマッピングされる複数のＦＡＣＨトランスポートチャネルを観察する。ＰＣＨ状態にあるＵＥは、特定Ｓ−ＣＣＰＣＨ物理チャネルにマッピングされるＰＩＣＨチャネル及びＰＣＨチャネルを観察する。
【００３９】
３ＧＰＰシステムは、リリース６の新しいタイプのサービスのマルチメディアブロードキャストマルチキャストサービス（ＭＢＭＳ）を提供できる。３ＧＰＰ  ＴＳＧ  ＳＡ（Ｓｅｒｖｉｃｅ  ａｎｄ  Ｓｙｓｔｅｍ  Ａｓｐｅｃｔ）は、ＭＢＭＳサービスをサポートするために必要な多様なネットワーク要素及びそれらの機能を定義する。
【００４０】
従来のリリース９９により提供されていたセルブロードキャストサービスはテキストタイプのショートメッセージを特定地域にブロードキャストするサービスに限定される。しかしながら、リリース６により提供される前記ＭＢＭＳサービスは該当サービスに加入している端末ＵＥにマルチメディアデータをブロードキャストするだけでなく、マルチメディアデータをマルチキャストすることができる、より進歩したサービスである。
【００４１】
ＭＢＭＳサービスの受信のために、前記ＵＥは、ＭＴＣＨ、ＭＳＣＨ、ＭＣＣＨ、及びＭＩＣＨを観察する。ＭＴＣＨ、ＭＳＣＨ、及びＭＣＣＨは、ＦＡＣＨにマッピングされる。ＭＩＣＨがマッピングされるチャネルは、まだ決定されていない。
【００４２】
バッテリ消費を低減し、待機時間を増加させるためには、ＵＥが数周期の間受信機のスイッチを切ることが有利である。この過程は、ＤＲＸ（Ｄｉｓｃｏｎｔｉｎｕｏｕｓ  Ｒｅｃｅｐｔｉｏｎ）と言われる。
【００４３】
図７は、ＤＲＸの原理を示す。前記ＵＥは、ＤＲＸ周期毎に予め定義されて周期的に発生する「ページング状況（ｐａｇｉｎｇ  ｏｃｃａｓｉｏｎｓ）」中は受信機をオンにする。一般に、ＤＲＸは、アイドルモードで使用されるが、前記ユーザがＰＳ  ＣＮドメインと接続を設定したときにも使用される。
【００４４】
前記ＵＥは、ページング状況中にＰＩＣＨチャネル（Ｐａｇｉｎｇ  Ｉｎｄｉｃａｔｏｒ  Ｃｈａｎｎｅｌ）を観察する。前記ＲＮＣは、前記ＵＥと通信しようとする場合、ページング状況中に前記ＵＥに特定指示を送る。前記指示は、前記端末に必要なＵＥの動作を示すメッセージを受信するためにＰＣＣＨ（Ｐａｇｉｎｇ  Ｃｏｎｔｒｏｌ  Ｃｈａｎｎｅｌ）を観察する必要があることを通知する。
【００４５】
前記ユーザがＣＥＬＬ＿ＦＡＣＨ状態やＣＥＬＬ＿ＤＣＨ状態にある場合のように、ＤＲＸモードを使用しないとき、前記ＲＮＣは、ＣＮから受信した情報を前記ＵＥに直接伝達する。この過程は、図８に示す。
【００４６】
前記ＲＮＣは、前記ＵＥに着信ＣＳ呼（ＣＳ  ｃａｌｌ）を通知するために、データ、制御情報、又はページング情報のような前記ＵＥに伝達される情報を受信する（段階Ｓ１）。前記ＲＮＣは、専用チャネル又は共有チャネルで前記ＵＥに直ちに情報を送信する（段階Ｓ２）。前記ＵＥが前記ＣＮから情報を受信したとき、前記ＵＥは、前記ＣＳ呼のために前記ＣＳドメインと接続を設定するか、データ伝送を続ける（段階Ｓ３）。
【００４７】
前記ＵＥがＤＲＸを使用するとき、さらなる遅延時間がデータ交換に追加される。この過程は、図９に示す。
【００４８】
前記ＲＮＣは、前記ＵＥに着信ＣＳ呼を通知するために、データ、制御情報、又はページング情報のような前記ＵＥに伝達される情報を受信する（段階Ｓ１０）。前記ＵＥにデータ又はページング要求に関して通知するために、前記ＲＮＣは、前記ＵＥがページングチャネルを観察することを通知するためにＰＩＣＨで指示を伝送できるとき、ページング状況を待機しなければならない（段階Ｓ１２）。
【００４９】
前記ＲＮＣは、ＰＣＣＨでページングメッセージを送信する（段階Ｓ１４）。前記ページングメッセージは、前記ＵＥがＣＳドメインと接続を設定するために、データを受信したり、必要なメッセージを送信するセルアップデートメッセージ（Ｃｅｌｌ  Ｕｐｄａｔｅ  ｍｅｓｓａｇｅ）を送信しなければならないことを示す。前記ＵＥは、前記ＲＮＣにセルアップデートメッセージを送信して現在ＦＡＣＨチャネルを観察していることを通知する（段階Ｓ１６）。
【００５０】
前記ＲＮＣは、セルアップデート確認メッセージ（Ｃｅｌｌ  Ｕｐｄａｔｅ  Ｃｏｎｆｉｒｍ  ｍｅｓｓａｇｅ）をＦＡＣＨで前記ＵＥに送信する（段階Ｓ１８）。前記セルアップデート確認メッセージは、多くのデータ伝送のために使用される構成を前記ＵＥに通知する。前記セルアップデート確認メッセージは、ＣＥＬＬ＿ＤＣＨ状態への移行のための情報を含む。
【００５１】
前記セルアップデート確認メッセージが前記ＵＥにＣＥＬＬ＿ＤＣＨ状態に移行することを命令すると、前記ＵＥは、ＣＥＬＬ＿ＤＣＨ状態に移行して必要な物理チャネルを設定する（段階Ｓ２０）。前記ＵＥは、ＵＴＲＡＮ移動性情報完了メッセージ（ＵＴＲＡＮ  Ｍｏｂｉｌｉｔｙ  Ｉｎｆｏｒｍａｔｉｏｎ  Ｃｏｍｐｌｅｔｅ  ｍｅｓｓａｇｅ）をＲＮＣに送信して状態の移行が成功したことを確認する（段階Ｓ２２）。
【００５２】
前記ＵＥが前記ＣＮから情報を受信すると、前記ＵＥは、ＣＳ呼のためにＣＳドメインと接続を設定したり、さらにデータを伝送する（段階Ｓ２４）。前記ＲＮＣは、例えば前記ＵＥが使用するサービス、トラヒック測定に関する情報、及び利用可能な無線リソースに基づいて前記ＵＥが移行しなければならない状態を決定する。
【００５３】
図１０は、異なる状態の利点及び欠点を示す概要図である。ＣＥＬＬ＿ＤＣＨ状態においては、伝送遅延率は非常に低いが、電力及び資源消費は非常に高い。前記ＵＥはＣＥＬＬ＿ＤＣＨ状態から他のいずれの状態にも移行できる。
【００５４】
ＣＥＬＬ＿ＦＡＣＨ状態において、ＦＡＣＨ及びＲＡＣＨ、並びに可能な他のチャネルが異なるユーザにより共有されるため、伝送遅延率が高い。前記ＵＥは、他のいずれの状態からもＣＥＬＬ＿ＦＡＣＨ状態に移行でき、ＣＥＬＬ＿ＦＡＣＨ状態から他のいずれの状態にも移行できる。
【００５５】
ＵＲＡ／ＣＥＬＬ＿ＰＣＨ状態において、前記ＵＥがＰＩＣＨチャネルのみを観察し、ＣＥＬＬ＿ＦＡＣＨ状態を経てのみＣＥＬＬ／ＵＲＡ＿ＰＣＨ状態に移行できるので、伝送遅延率は最高である。前記ＵＥは、ＣＥＬＬ＿ＦＡＣＨ状態又はＣＥＬＬ＿ＤＣＨ状態からＣＥＬＬ／ＵＲＡ＿ＰＣＨ状態に移行できる。
【００５６】
前記ＵＥが外部電源と接続されると、ユーザに障害を与える節電機能を使用できないように方式を変更し、データ伝送遅延を追加するＤＲＸのような方法の使用を低減しなければならない。前記ＵＥ内で局部的に行われるこれらの機能のようなＵＥ方式の若干の変化は、容易に行われる。しかし、ＤＲＸのような他の機能は、ネットワークにより制御されるので、容易に変化できない。
【００５７】
ネットワークは前記ＵＥが電力管理に関する特別な制約を有するか否かを確認する方法を有しないため、節電のための同様の方法が常に適用される。さらに、前記ＵＥは、局部的に常に全ての節電方法を適用する。
【００５８】
従って、いつ節電メカニズムを必要としないかに関する情報を前記ネットワークに提供し、節電メカニズムを必要としないときにＵＥ方式をより効果的に変更するためのメカニズムを必要とする。本発明は、このような必要性に取り組むものである。
【発明の開示】
【発明が解決しようとする課題】
【００５９】
本発明の長所及び利点は後述する発明の詳細な説明に一部が記述されており、一部は前記説明により明確になるか、又は、本発明の適用により理解される。本発明の目的と長所は、特に、発明の詳細な説明及び請求の範囲並びに添付図面に開示された構成により実現及び達成される。
【００６０】
本発明の目的は、節電機能がユーザ装置（ＵＥ）に有利であるか否かによって前記ユーザ装置とネットワーク間の通信のために異なる方式（ｂｅｈａｖｉｏｒ）を適用する装置及び方法を提供することにある。節電機能が前記ユーザ装置に有利であるか否かが判断されると、節電機能の使用が制限又は抑制される。
【課題を解決するための手段】
【００６１】
本発明の一態様において、ネットワークと移動通信端末間の通信方法が提供される。前記方法は、前記節電機能が前記移動通信端末に有利であるか否かを判断する段階と、前記判断によって、前記節電機能を行うか、又は行わない段階とを含む。好ましくは、前記節電機能は、有利であると判断される場合は行われ、有利でないと判断される場合は行われない。
【００６２】
本発明において、前記節電機能が前記移動通信端末に有利であるか否かの指示を前記ネットワークに提供する。前記指示は、前記移動通信端末の装置タイプ及びシリアルナンバーの少なくとも１つを含む。
【００６３】
好ましくは、前記ネットワークは、無線ネットワーク制御装置（ＲＮＣ）を含み、前記指示は、無線リソース制御（ＲＲＣ）メッセージにより提供される。前記ＲＲＣメッセージは、ＲＲＣ接続設定完了メッセージ（ＲＲＣ  ｃｏｎｎｅｃｔｉｏｎ  ｓｅｔｕｐ  ｃｏｍｐｌｅｔｅ  ｍｅｓｓａｇｅ）、又はＵＥケイパビリティ情報メッセージ（ＵＥ  ｃａｐａｂｉｌｉｔｙ  ｉｎｆｏｒｍａｔｉｏｎ  ｍｅｓｓａｇｅ）である。
【００６４】
本発明において、前記指示は、前記ネットワークとの接続設定時に提供される。前記ネットワークとの接続中に、節電機能が現在前記移動通信端末に有利であるか否かを反映して前記ネットワークに提供される前記指示をアップデートする。
【００６５】
好ましくは、前記節電機能は、前記移動通信端末が外部電源と接続されているときは有利でなく、外部電源と接続されていないときは有利であると判断される。前記判断段階は、外部エンティティから情報を受信した後に行われる。また、前記情報は、前記ネットワーク又は前記移動通信端末から受信される。一方、前記判断段階は、外部エンティティからいずれの情報が受信されなくても行われる。
【００６６】
前記判断は、前記移動通信端末が外部電力供給装置に接続されているか否か、前記移動通信端末の装置タイプ、及び前記移動通信端末が電力を供給する他の装置に接続されているか否かの１つに基づいて行われる。また、前記判断は、ＩＭＥＩ（Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ）及びＩＭＥＩＳＶ（Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ  Ｓｏｆｔｗａｒｅ  Ｖｅｒｓｉｏｎ  ｎｕｍｂｅｒ）を前記ネットワークに提供した後に行われる。
【００６７】
前記方法は、有利でないと判断された場合、節電機能実行命令を拒否する段階を含む。好ましくは、前記命令を拒否する原因値（ｃａｕｓｅ  ｖａｌｕｅ）を提供する。特に、前記節電機能を行わない場合、前記移動通信端末のバックライトを消さない段階、前記移動通信端末のバックライトが消えるまでの時間を増加させる段階、装置との接続を維持する段階、さらなる情報を受信する段階、サービスをアクティブにする段階、非タイム・クリティカルデータを保存する段階、又はプロセシング電力を増加させる段階を含む。
【００６８】
前記方法は、前記節電機能が前記移動通信端末に有利であるか否かの指示を受信する段階を含む。また、前記指示は、前記移動通信端末から受信される。好ましくは、前記指示は、前記移動通信端末の装置タイプ又はシリアルナンバーを含む。
【００６９】
前記指示は、ＲＲＣメッセージにより受信される。好ましくは、前記ＲＲＣメッセージは、ＲＲＣ接続設定完了メッセージ又はＵＥケイパビリティ情報メッセージである。
【００７０】
前記指示は、前記移動通信端末との接続設定時に受信される。好ましくは、前記移動端末との接続中に、節電機能が現在前記移動通信端末に有利であるか否かを反映して前記指示をアップデートする。
【００７１】
前記指示は、コアネットワークのようなネットワークエンティティから受信される。好ましくは、前記指示は、無線ネットワーク制御装置のようなネットワークソースエンティティから前記移動通信端末の再配置を制御するとき、前記ネットワークソースエンティティから受信される。
【００７２】
前記方法は、前記節電機能が前記移動通信端末に有利であるか否かの指示を前記移動通信端末に伝送する段階を含む。好ましくは、前記判断は、前記移動通信端末からＩＭＥＩ及びＩＭＥＩＳＶを受信した後、前記ＩＭＥＩ／ＩＭＥＩＳＶに基づいて行われる。
【００７３】
前記方法は、節電機能実行命令を拒否するための原因値を前記移動通信端末から受信する段階を含む。前記節電機能を行わない場合、前記移動通信端末をＲＲＣ専用状態（ｄｅｄｉｃａｔｅｄ  ＲＲＣ  ｓｔａｔｅ）で長時間維持する段階と、前記移動通信端末をＲＲＣ共有状態（ｓｈａｒｅｄ  ＲＲＣ  ｓｔａｔｅ）で長時間維持する段階と、移動通信端末の非活性を検出するために使用されたタイマーを調節する段階と、異なる移動通信端末トラヒック量測定値を設定する段階と、移動通信端末トラヒック量測定値間の伝送遅延を減少させる段階とを含む。
【００７４】
本発明の他の態様において、ネットワークと移動通信端末間の通信方法が提供される。前記方法は、節電機能が移動通信端末に有利であるか否かを判断する段階と、前記節電機能が前記移動通信端末に有利であるか否かの指示を前記ネットワークに提供する段階とを含む。
【００７５】
前記指示は、前記移動通信端末の装置タイプ又はシリアルナンバーを含む。好ましくは、前記節電機能は、前記移動通信端末が外部電源と接続されているときに有利でないと判断され、前記移動通信端末が外部電源と接続されていないときに有利であると判断される。
【００７６】
本発明の他の態様において、ネットワークと移動通信端末間の通信方法が提供される。前記方法は、節電機能が移動通信端末に有利であるか否かの指示を前記移動通信端末から受信する段階と、有利であると示された場合は節電機能を行い、有利でないと示された場合は節電機能を行わない段階とを含む。好ましくは、前記指示は、前記移動通信端末の装置タイプ又はシリアルナンバーを含む。
【００７７】
本発明の他の態様において、移動通信端末が提供される。前記移動通信端末は、前記節電機能が前記移動通信端末に有利であるか否かによって、前記移動通信端末とネットワーク間の通信に異なる方式を適用するために、ここに記載された方法を行う。
【００７８】
本発明のさらなる長所及び利点は後述する発明の詳細な説明に一部が記述されており、一部は前記説明により明確になるか、又は、本発明の適用により理解されるであろう。上記の本発明の一般的な記載及び後述する詳細な記載は例示的なものであり、請求項の範囲に記載の本発明を具体的に説明するためのものである。
【００７９】
これら及び他の実施形態は、添付図面による実施形態の後述する詳細な説明から当業者にとって明確になるであろう。本発明は、開示された特定実施形態に限定されるものではない。
【発明を実施するための最良の形態】
【００８０】
本発明は、節電機能がユーザ装置（ＵＥ）に有利であるか否かによって、前記ＵＥとネットワーク間の通信に異なる方式（ｂｅｈａｖｉｏｒ）を適用することに関する。特に、本発明は、前記ＵＥが外部電源に接続されているときのように節電機能が有利でないときを判断し、これにより、節電機能の使用を制限又は抑制する方法及び装置に関する。本発明は、移動通信装置について説明しているが、節電機能が有利でないと判断されて節電機能を制限しようとする場合は、いつでも活用できる。
【００８１】
本発明の一実施形態において、ネットワークは、節電機能がＵＥに有利でないか、又は、ＵＥに特別な節電機能を適用する必要がないと認識した場合、ＵＥとの通信に異なる方式を適用する。その異なるネットワーク方式は、例えば、他のネットワーク無線リソース管理（Ｒａｄｉｏ  Ｒｅｓｏｕｒｃｅ  Ｍａｎａｇｅｍｅｎｔ：ＲＲＭ）戦略を適用することができる。
【００８２】
前記ネットワークは、節電機能が前記ＵＥに有利でないため、不要であるということを示す情報を装置から受信する。この情報は、前記ネットワークと接続を設定するときにネットワークに提供されるか、又は、接続状態でアップデートされる。ネットワークサービングエンティティが変わると、前記情報は、以前のネットワークサービングエンティティから新しいネットワークサービングエンティティに伝達されなければならない。
【００８３】
前記情報は、前記ネットワークに保存されるか、他の情報から得られる。ＵＥ、コアネットワーク（ＣＮ）、又は無線ネットワーク制御装置（ＲＮＣ）のような他のエンティティが前記情報を提供できる。この情報又は類似した情報に基づいて、前記ネットワークは、電力管理機能が適用される必要があるか否かを判断できる。
【００８４】
前記ＵＥは、ネットワークとの接続を設定すると、ＵＥ自身のタイプ、シリアルナンバー、及びソフトウェア番号に関する情報を伝送する。ＧＳＭ／ＵＭＴＳネットワークにおいて、ソフトウェアに関する情報は、ＩＭＥＩ／ＩＭＥＩＳＶ（Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ  ａｎｄ  Ｓｏｆｔｗａｒｅ  Ｖｅｒｓｉｏｎ  Ｎｕｍｂｅｒ）と言われる。
【００８５】
ＵＥの本質は、節電機能が必要であるか否かを判断することである。例えば、ＵＥのタイプが、移動端末が車載であることを示すか、電力供給がそれほど重要でないＰＣＭＣＩＡ装置として使用されることを示す場合、節電機能を実行する必要がないと判断される。
【００８６】
前記ＵＥは、無線ネットワーク制御装置（ＲＮＣ）に、外部電力供給装置と接続されていること、ＣＥＬＬ＿ＰＣＨ状態やＵＲＡ＿ＰＣＨ状態に移行する必要がないこと、又は節電アルゴリズムを行う必要がないことを示す。この指示に基づいて、前記ＲＮＣは、無線リソース管理に関する異なる方式を示す。
【００８７】
前記ＲＮＣは、前記ＵＥをＣＥＬＬ＿ＦＡＣＨ状態又はＣＥＬＬ＿ＤＣＨ状態で長時間維持する。前記ＲＮＣが非活性を検出するタイマーを使用する場合、前記ＲＮＣは、節電機能が不要であると、タイマーをより適当な値に合わせる。前記ＲＮＣは、異なる基準を適用するために、少ない量であっても前記ＵＥが伝送するデータがあることを示すか、又は、トラヒック量測定結果の伝送の間に発生する遅延を減少させる異なるトラヒック量測定値を設定する。他の可能な方式は、ＲＮＣ内のＲＲＭの世界的な戦略によって提示されるであろう。
【００８８】
前記ＵＥからの指示は、無線リソース制御メッセージのような適当なＲＲＣメッセージにより前記ＵＥから前記ネットワークに直接的に提供される。ここで、適当なメッセージとは、例えば、ＵＭＴＳシステム内のＲＲＣ接続設定完了メッセージ又はＵＥケイパビリティ情報メッセージのようにＵＥケイパビリティを示すために使用されるメッセージをいう。
【００８９】
前記ＲＮＣは、また、コアネットワーク（ＣＮ）又は他のエンティティから指示を受信する。前記判断は、前記ＵＥからのＩＭＥＩ／ＩＭＥＩＳＶに基づく。図１１は、前記ＵＥが前記ＩＭＥＩ／ＩＭＥＩＳＶに基づいて節電機能を行う必要があるか否かを判断する前記ＲＮＣあるいはＣＮのための他の可能性を示す。
【００９０】
ＲＲＣ接続が設定され、ＣＮとの接続が設定されると（段階Ｓ５０）、前記ＣＮは、前記ＲＮＣを介して前記ＵＥに認証要求メッセージ（Ａｕｔｈｅｎｔｉｃａｔｉｏｎ  Ｒｅｑｕｅｓｔ  ｍｅｓｓａｇｅ）又は識別要求メッセージ（Ｉｄｅｎｔｉｔｙ  Ｒｅｑｕｅｓｔ  ｍｅｓｓａｇｅ）を送信する。前記認証要求メッセージ又は識別要求メッセージは、直接送信メッセージ（Ｄｉｒｅｃｔ  ｔｒａｎｓｆｅｒ  ｍｅｓｓａｇｅ）により前記ＲＮＣに送信される（段階Ｓ５２）。
【００９１】
前記ＲＮＣは、前記認証要求メッセージ又は識別要求メッセージをダウンリンク直接伝送（Ｄｏｗｎｌｉｎｋ  Ｄｉｒｅｃｔ  ｔｒａｎｓｆｅｒ）で前記ＵＥに送信する（段階Ｓ５４）。前記ＲＮＣは、ＩＭＥＩ／ＩＭＥＩＳＶを要求する。
【００９２】
前記ＵＥは、認証応答メッセージ（Ａｕｔｈｅｎｔｉｃａｔｉｏｎ  Ｒｅｓｐｏｎｓｅ  ｍｅｓｓａｇｅ）又は識別応答メッセージ（Ｉｄｅｎｔｉｔｙ  Ｒｅｓｐｏｎｓｅ  ｍｅｓｓａｇｅ）を含むアップリンク直接伝送（Ｕｐｌｉｎｋ  Ｄｉｒｅｃｔ  Ｔｒａｎｓｆｅｒ）で応答する（段階Ｓ５６）。前記認証応答メッセージ又は識別応答メッセージは、ＩＭＥＩ／ＩＭＥＩＳＶを含む。
【００９３】
前記ＲＮＣは、前記認証応答メッセージ又は識別要求メッセージを復号化する。また、内部検索テーブル（ｉｎｔｅｒｎａｌ  ｌｏｏｋｕｐ  ｔａｂｌｅ）及びＩＭＥＩ／ＩＭＥＩＳＶを活用することにより、前記ＵＥが節電機能を使用する必要があるか否かを判断する（段階Ｓ５８）。
【００９４】
又は、前記ＲＮＣは、前記認証応答メッセージ又は識別応答メッセージを前記ＣＮに送信する。前記ＲＮＣは、前記ＣＮへのダウンリンク直接伝送にメッセージ又は識別要求メッセージを含める（段階Ｓ６０）。
【００９５】
前記ＣＮは、内部検索テーブル及びＩＭＥＩ／ＩＭＥＩＳＶを使用して前記ＵＥが節電機能を使用する必要があるか否かを判断する（段階Ｓ６２）。前記判断は、ＭＳＣ、ＳＧＳＮ、又はＥＩＲで行われる。また、前記ＣＮは、節電機能が前記ＵＥに有利であるか否かをＲＮＣに示す（段階Ｓ６４）。
【００９６】
又は、前記ＣＮは、前記ＩＭＥＩ／ＩＭＥＩＳＶを前記ＲＮＣに返す（段階Ｓ６４）。また、前記ＲＮＣは、内部検索テーブル及びＩＭＥＩ／ＩＭＥＩＳＶを活用して前記ＵＥに節電機能が必要であるか否かを判断する（段階６６）。
【００９７】
前記ＲＮＣは、ＲＲＭ決定時に前記ＵＥが節電機能を必要とするか否かを考慮する（段階６８）。前記ＵＥが節電機能を必要とするか否かを示す情報は、サービングＲＮＣ（ＳＲＮＣ）に保存される。
【００９８】
前記ＳＲＮＣが変わると、前記情報は、再配置過程中に現在のＳＲＮＣから目標ＳＲＮＣに伝達できる。例えば、前記情報は、Ｉｕインタフェースで送信された再配置要求又は再配置要求メッセージ（Ｒｅｌｏｃａｔｉｏｎ  Ｒｅｑｕｉｒｅｄ  ｏｒ  Ｒｅｌｏｃａｔｉｏｎ  Ｒｅｑｕｅｓｔ  ｍｅｓｓａｇｅ）により伝達される。前記ＣＮにより復号化されない情報の順序のように、前記情報は、情報要素として直接的に含まれるか、トランスペアレントコンテナとして間接的にメッセージ内に含まれる。又は、新しいＳＲＮＣは、ＩＭＥＩ／ＩＭＥＩＳＶのような情報や前記ＵＥが節電機能を必要とするか否かの指示を前記ＵＥ又は前記ＣＮから受信する。
【００９９】
本発明の他の実施形態において、前記ＵＥは、節電機能がＵＥ自身に有利でないか、ＵＥ自身に特別な節電機能を適用する必要がない場合、ネットワークとの通信のために異なる方式を適用する。前記ＵＥは、ＵＥ自身又は他の装置からの情報を活用してこのように判断する。
【０１００】
前記ＵＥが外部電源に接続されている状況がある。この環境は、例えば、前記ＵＥが自動車に搭載されているときは永久的である。この環境は、例えば、前記ＵＥがバッテリ充電ケーブルと接続されているときは一時的である。
【０１０１】
前記ＵＥが内部電力供給装置から電力を提供する他の装置と接続されている状況がある。例えば、前記ＵＥがラップトップコンピュータやＰＤＡ内部でＰＣＭＣＩＡカードとして使用されるか、そのような装置内部に統合されると、前記ＵＥは、ＰＤＡ／ラップトップコンピュータの電力供給装置をＵＥ自身の電源として使用する。
【０１０２】
前記ＵＥが節電機能がＵＥ自身に有利でないことを自ら判断できない場合、節電機能が必要であるか否かを示す他の装置から情報が伝送される。前記ＵＥは、バッテリ節約が必要であるか否かを判断するために、電力供給を提供する他の装置と通信する。この情報は、ＵＳＢ（Ｕｎｉｖｅｒｓａｌ  Ｓｅｒｉａｌ  Ｂｕｓ）又は他のインタフェース技術により交換される。
【０１０３】
本発明の他の態様において、前記ＵＥは、節電機能を行うことをＵＥ自身に命令するメッセージを拒否することにより、ＤＲＸのような節電過程を行わない。命令に対する拒否は、節電機能の使用が前記ＵＥに有利であるか否かによる。
【０１０４】
例えば、前記ＵＥが、ＣＥＬＬ＿ＰＣＨ状態又はＵＲＡ＿ＰＣＨ状態に移行させる命令を拒否する。前記ＵＴＲＡＮが前記ＵＥにＣＥＬＬ＿ＰＣＨ状態に移行することを命令するとともに、無線ベアラ設定メッセージ（Ｒａｄｉｏ  Ｂｅａｒｅｒ  Ｓｅｔｕｐ  ｍｅｓｓａｇｅ）、無線ベアラ解除メッセージ（Ｒａｄｉｏ  Ｂｅａｒｅｒ  Ｒｅｌｅａｓｅ  ｍｅｓｓａｇｅ）、無線ベアラ再設定メッセージ（Ｒａｄｉｏ  Ｂｅａｒｅｒ  Ｒｅｃｏｎｆｉｇｕｒａｔｉｏｎ  ｍｅｓｓａｇｅ）、トランスポートチャネル再構成メッセージ（Ｔｒａｎｓｐｏｒｔ  Ｃｈａｎｎｅｌ  Ｒｅｃｏｎｆｉｇｕｒａｔｉｏｎ  ｍｅｓｓａｇｅ）、物理チャネル再構成メッセージ（Ｐｈｙｓｉｃａｌ  Ｃｈａｎｎｅｌ  Ｒｅｃｏｎｆｉｇｕｒａｔｉｏｎ  ｍｅｓｓａｇｅ）、ＵＴＲＡＮ移動性情報メッセージ（ＵＴＲＡＮ  Ｍｏｂｉｌｉｔｙ  Ｉｎｆｏｒｍａｔｉｏｎ  ｍｅｓｓａｇｅ）、又はセルアップデート確認メッセージ（Ｃｅｌｌ  Ｕｐｄａｔｅ  Ｃｏｎｆｉｒｍ  ｍｅｓｓａｇｅ）を送信すると、前記ＵＥは、命令を拒否する。
【０１０５】
前記ＵＥは、例えば、無線ベアラ設定失敗メッセージ（Ｒａｄｉｏ  Ｂｅａｒｅｒ  Ｓｅｔｕｐ  Ｆａｉｌｕｒｅ  ｍｅｓｓａｇｅ）、無線ベアラ解除失敗メッセージ（Ｒａｄｉｏ  Ｂｅａｒｅｒ  Ｒｅｌｅａｓｅ  Ｆａｉｌｕｒｅ  ｍｅｓｓａｇｅ）、無線ベアラ再設定失敗メッセージ（Ｒａｄｉｏ  Ｂｅａｒｅｒ  Ｒｅｃｏｎｆｉｇｕｒａｔｉｏｎ  Ｆａｉｌｕｒｅ  ｍｅｓｓａｇｅ）、トランスポートチャネル再構成失敗メッセージ（Ｔｒａｎｓｐｏｒｔ  Ｃｈａｎｎｅｌ  Ｒｅｃｏｎｆｉｇｕｒａｔｉｏｎ  Ｆａｉｌｕｒｅ  ｍｅｓｓａｇｅ）、物理チャネル再構成失敗メッセージ（Ｐｈｙｓｉｃａｌ  Ｃｈａｎｎｅｌ  Ｒｅｃｏｎｆｉｇｕｒａｔｉｏｎ  Ｆａｉｌｕｒｅ  ｍｅｓｓａｇｅ）、又はＵＴＲＡＮ移動性情報失敗メッセージ（ＵＴＲＡＮ  Ｍｏｂｉｌｉｔｙ  Ｉｎｆｏｒｍａｔｉｏｎ  Ｆａｉｌｕｒｅ  ｍｅｓｓａｇｅ）を伝送することにより前記命令を拒否する。また、前記ＵＥは、「失敗（Ｆａｉｌｕｒｅ）」が、ＵＥ自身が命令状態（ｃｏｍｍａｎｄｅｄ  ｓｔａｔｅ）に入ることを拒否するという事実のためであることを前記メッセージのうちの１つに表示する。
【０１０６】
前記「失敗」メッセージは、原因値を含む。前記原因値は、例えば、前記ＵＥが伝送遅延率を減少させるために、又は、前記ＵＥが現在バッテリに依存していないため節電機能が不要であるので、命令状態に入ることを拒否することを示す。
【０１０７】
節電機能が不要であると判断された場合、ＵＥにより提示できる多様な方式がある。前記ＵＥは、異なる機能を果たすか、又は、節電機能が必要であると判断されたときとは異なる方式で機能する。又は、前記ＵＥは、節電機能が有利でないことをネットワークに示す。
【０１０８】
前記ＵＥは、バックライトを全く消さないか、ユーザが対話中であるときにバックライトを消さないか、又はバックライトが消えるまでの時間を延長する。前記ＵＥは、ＰＤＰコンテキストのようにユーザと接続されていないときも接続アクティブ状態を維持する。前記ＵＥは、特別な場合にブロードキャスト情報を受信したり、普段より多くのブロードキャスト情報を受信することができる。前記ＵＥは、ダウンロードサービスをアクティブにしたり、ＵＥ自身内に保存された非タイム・クリティカルデータを要求する。前記ＵＥは、例えば、より強力なビデオ圧縮アルゴリズムを用いるためにプロセシング電力を増加させることができる。
【０１０９】
図１２は、本発明の移動通信端末１００、例えば、本発明の方法を行う携帯電話のブロック図を示す。前記移動通信装置１００は、マイクロプロセッサ又はデジタル信号プロセッサなどのプロセシング部１１０、ＲＦモジュール１３５、電力管理モジュール１０５、アンテナ１４０、バッテリ１５５、ディスプレイ１１５、キーパッド１２０、フラッシュメモリ、ＲＯＭ、ＳＲＡＭなどのメモリ部１３０、スピーカ１４５、及びマイク１５０を含む。
【０１１０】
ユーザは、例えば、キーパッド１２０のボタンを押したり、マイク１５０を使用したボイスアクティベーションにより、電話番号などの指示情報に入る。プロセシング部１１０は、前記指示情報を受信、処理してダイヤリングのような適切な機能を行う。前記機能を行うためにメモリ部１３０から動作情報が検索できる。また、プロセシング部１１０は、ユーザの参照及び利便性のためにディスプレイ１１５に前記指示情報及び動作情報を表示できる。
【０１１１】
前記プロセシング部１１０は、指示情報をＲＦセクション１３５に提供して通信を初期化するが、例えば、音声通信データから構成された無線信号を伝送する。前記ＲＦセクション１３５は、受信機と送信機から構成され、無線信号を送受信する。アンテナ１４０は、無線信号の送受信を容易にする。無線信号を受信すると、ＲＦモジュール１３５は、前記プロセシング部１１０による処理のために前記信号を伝送し、帯域周波数に変換する。処理された信号は、例えば、スピーカ１４５などから出力されて可聴又は可読情報に変形される。
【０１１２】
前記プロセシング部１１０は、節電機能が前記移動通信端末に有利であるか否かを判断し、その判断によって、節電機能を行うか、又は行わないようにするために、ここで記載された方法を行う。前記メモリ部１３０は、移動通信端末が行う節電機能に関連した情報を保存する。
【０１１３】
当該技術分野の通常の知識を有する者であれば、前記移動通信装置１００が、例えば、プロセシング部１１０、他のデータやデジタル処理装置の単独形態、又は外付けのサポートロジック（ｅｘｔｅｒｎａｌ  ｓｕｐｐｏｒｔ  ｌｏｇｉｃ）と結合された形態によって容易に適用できることが分かるであろう。
【０１１４】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【０１１５】
本実施形態は、ソフトウェア、ファームウェア、ハードウェア、又はこれらの組み合わせを生産するための標準プログラミング及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【０１１６】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク伝送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体（ｉｎｆｏｒｍａｔｉｏｎ  ｂｅａｒｉｎｇ  ｍｅｄｉｕｍ）も含むことができるという点を理解すると思われる。
【０１１７】
図面に示された論理実行（ｌｏｇｉｃ  ｉｍｐｌｅｍｅｎｔａｔｉｏｎ）は、特定順序に従った特定動作によって説明されたが、これに代えて、他の順序を有するか、順序が変更及び削除された特定論理動作（ｌｏｇｉｃ  ｏｐｅｒａｔｉｏｎ）を実行することもでき、均等な他の実施形態において実行することもできる。また、前述した論理に過程がさらに追加されて本発明を実行することもできる。
【０１１８】
本発明は、例示的な実施形態を参照して説明されてきたが、この発明の要旨を逸脱しない範囲で多様な変更及び変形が可能であることは当該技術分野における通常の知識を有する者にとっては明白であろう。
【０１１９】
本発明は、前述した実施形態と利点は本発明を制限するものでなく、単なる例示にすぎない。本発明は、他の形態の装置にも容易に適用できる。本発明の説明は特許請求の範囲を制限するものでなく、単なる説明の便宜のためのものである。当該技術分野における通常の知識を有する者であれば、多様な変更、変形、及び均等な他の実施例が可能であることを理解できるであろう。請求項において、ミーンズプラスファンクションクレームは列挙された機能を実行するものであり、ここに記載された構造、構造的同等物だけでなく均等な構造をも含む。
【図面の簡単な説明】
【０１２０】
発明の理解を容易にするために添付され、本明細書の一部を構成する図面は、本発明の多様な実施形態を示し、明細書と共に本発明の原理を説明する。図面において同一符号を付す本発明の特徴、構成要素、及び様態は、１つ以上の実施形態において同一、同等、又は類似した特徴、構成要素、及び様態を示す。
【図１】従来のＵＭＴＳネットワークを示す図である。
【図２】従来のユーザ装置とＵＴＲＡＮ間の無線インタフェースプロトコルを示す図である。
【図３】従来のＭＢＭＳの論理チャネルを示す図である。
【図４】ＵＥの観点から論理チャネルとトランスポートチャネル間の可能なマッピングを示す図である。
【図５】ＵＴＲＡＮの観点から論理チャネルとトランスポートチャネル間の可能なマッピングを示す図である。
【図６】可能なＵＥ状態移行を示す図である。
【図７】ＵＥのＤＲＸ動作を示す図である。
【図８】非ＤＲＸモードでのＲＮＣとＵＥ間のページング／データ伝送を示す図である。
【図９】ＤＲＸモードでのＲＮＣとＵＥ間のページング／データ伝送を示す図である。
【図１０】ＲＲＣ状態の利点及び及び欠点を示す図である。
【図１１】本発明により節電機能を行う必要があるか否かを判断するための他の可能性を示す図である。
【図１２】本発明による移動通信端末を示す図である。
【図１】
2008518548.tif 000003
【図２】
2008518548.tif 000004
【図３】
2008518548.tif 000005
【図４】
2008518548.tif 000006
【図５】
2008518548.tif 000007
【図６】
2008518548.tif 000008
【図７】
2008518548.tif 000009
【図８】
2008518548.tif 000010
【図９】
2008518548.tif 000011
【図１０】
2008518548.tif 000012
【図１１】
2008518548.tif 000013
【図１２】
2008518548.tif 000014
【国際調査報告】
2008518548.tif 000015
2008518548.tif 000016